【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
自らを識別するための媒体識別情報、金銭的価値をもつ電子マネー、及び電子マネーの発行組織体である複数のイシュアから前記電子マネーを発行したイシュアを識別するためのイシュア識別情報を記録してなる可搬性の記録媒体に、指示された金銭的価値分の電子マネーを補充する複数の電子マネー補充手段と、通信路を介して接続される電子マネー管理システムであって、
現金を受け取り、該受け取った現金に対応する電子マネーの補充をいずれかの記録媒体に対して行い、該補充が正常に終了した複数の電子マネー補充手段から、当該補充をした記録媒体の媒体識別情報、イシュア識別情報及び電子マネーの補充情報を含む入金ログを前記通信路を通じて取得する情報取得手段と、
この情報取得手段で取得した入金ログについて、イシュア識別情報に基づいてイシュアを特定し、電子マネーの補充情報に基づいて前記補充した電子マネーに対応する金額を特定するとともにこの特定した金額を前記特定したイシュア毎に前記イシュア識別情報を検索キーとして集計する入金集計手段と、
前記電子マネーの補充を行った電子マネー補充手段から当該補充に対応して受け取った現金の送金を受け取り、前記入金集計手段で集計された各イシュア毎の現金が電子マネー管理システムの管理主体の銀行口座から各イシュアに届くように口座間取引を実行させる入金管理手段と、
を備えたことを特徴とする、電子マネー管理システム。
【請求項２】
金銭的価値としての現金を受け取り、該受け取った現金に対応する電子マネーを、自らを識別するための媒体識別情報、電子マネーの発行組織体である複数のイシュアから電子マネーを発行したイシュアを識別するためのイシュア識別情報、及び金銭的価値をもつ電子マネーを記録してなる可搬性の記録媒体に補充し、該補充が正常に終了した複数の電子マネー補充手段から、当該補充をした前記記録媒体の媒体識別情報、イシュア識別情報、及び前記受け取った現金に対応する電子マネーの補充情報を含む入金ログを通信路を介して取得する第１の情報取得手段と、
前記第１の情報取得手段で取得した入金ログについて、イシュア識別情報に基づいてイシュアを特定し、電子マネーの補充情報に基づいて補充した電子マネーに対応する金銭的価値の金額を特定するとともにこの特定した金銭的価値の金額を前記特定したイシュア毎に前記イシュア識別情報を検索キーとして集計する第１の集計手段と、
金銭的価値をもつ電子マネーが記録された前記記録媒体から当該記録媒体を保有する者が所定の店舗において利用した金銭的価値分の電子マネーを減額した電子マネー減額手段から、当該電子マネーを減額した記録媒体に記録されている媒体識別情報、イシュア識別情報、利用元の店舗を識別するための店舗識別情報及び電子マネーの減額情報を取得する第２の情報取得手段と、
前記第２の情報取得手段で取得した情報のうち、イシュア識別情報に基づいてイシュアを特定し、店舗識別情報に基づいて利用元の店舗を特定し、電子マネーの減額情報に基づいて前記減額した電子マネーに対応する金銭的価値を特定するとともにその金銭的価値を前記特定されたイシュア及び店舗毎に集計する第２の集計手段と、
前記第１の集計手段及び第２の集計手段による集計結果に基づいて、前記金銭的価値の受け渡しを行う受渡手段と、を備えたことを特徴とする、電子マネー管理システム。
【請求項３】
前記受渡手段は、前記金銭的価値の受け渡しを所定の金融機関の口座間取引により行わせるように構成されている、
ことを特徴とする請求項２に記載の電子マネー管理システム。
【請求項４】
電子マネーの補充の指示と当該電子マネーに対応する金銭的価値とを受け付ける補充指示受付手段と、
前記受け付けた金銭的価値分の電子マネーを前記補充先となる記録媒体への電子マネーの補充が可能な電子マネー補充手段宛に前記通信路を通じて送出する補充指示管理手段と、
をさらに備えたことを特徴とする、請求項１、請求項２又は請求項３記載の電子マネー管理システム。
【請求項５】
電子マネーの補充の指示が、前記補充先の記録媒体との間で情報の受け渡しを行う媒体リーダ・ライタが接続され且つ所定の通信路を媒介とした通信を行う通信端末を通じて行われるものであり、
前記電子マネー補充手段は、当該記録媒体への電子マネーの補充と当該記録媒体からの媒体識別情報及びイシュア識別情報の読み出しとを前記媒体リーダ・ライタを通じて行うとともに、前記入金ログを、前記通信路を通じて出力可能に構成されていることを特徴とする、
請求項１、請求項２又は請求項３記載の電子マネー管理システム。
【請求項６】
電子マネーの補充の指示が、所定の通信路を媒介とした通信を行う第１の通信端末を通じて行われるものであり、
前記電子マネー補充手段は、当該記録媒体への電子マネーの補充と当該記録媒体からの媒体識別情報及びイシュア識別情報の読み出しとを当該記録媒体との間で情報の受け渡しを行う媒体リーダ・ライタが接続され且つ前記通信路を媒介とした通信を行う第２の通信端末を通じて行うとともに、前記入金ログを、前記通信路を通じて出力可能に構成されていることを特徴とする、
請求項１、請求項２又は請求項３記載の電子マネー管理システム。
【請求項７】
前記電子マネーの利用が、電子マネーが記録されている前記記録媒体との間で情報の受け渡しを行う媒体リーダ・ライタが接続され且つ所定の通信路を媒介とした通信を行う通信端末を通じて行われるものであり、
前記電子マネー減額手段は、当該記録媒体からの電子マネーの減額と当該記録媒体からの媒体識別情報及びイシュア識別情報の読み出しとを前記媒体リーダ・ライタを通じて行うとともに、前記電子マネーの減額情報、前記店舗識別情報、前記媒体識別情報及び前記イシュア識別情報を、前記通信路を通じて出力可能に構成されていることを特徴とする、請求項２又は３記載の電子マネー管理システム。
【請求項８】
前記電子マネー補充手段は、いずれかのイシュアから任意のユーザに配付された前記記録媒体に当該イシュア以外の他のイシュアが発行した電子マネーを補充可能であることを特徴とする、
請求項１、請求項２又は請求項３記載の電子マネー管理システム。
【請求項９】
前記電子マネー補充手段が、店舗の精算レジスタに付加されており、当該精算レジスタにおいて生じた釣り銭を電子マネーに換算して前記記録媒体に補充可能に構成されていることを特徴とする、
請求項１、請求項２又は請求項３記載の電子マネー管理システム。
【請求項１０】
電子マネーを補充する際に補充が正常終了しなかった記録媒体のリカバリ処理を行うリカバリ管理手段をさらに備えたことを特徴とする、
請求項１、請求項２又は請求項３記載の電子マネー管理システム。
【請求項１１】
前記記録媒体への電子マネーの補充履歴と当該記録媒体からの電子マネーの利用履歴とを媒体識別情報とリンクさせて記録する履歴管理手段をさらに備え、記録媒体の活用状況を把握可能に構成されていることを特徴とする、
請求項１、請求項２又は請求項３記載の電子マネー管理システム。
【請求項１２】
前記補充先の記録媒体を保有する者以外の第三者からの電子マネーの補充の指示を受け付ける補充指示受付手段と、
補充対象となる電子マネーに対応する金銭的価値を前記第三者の名称及び前記特定の記録媒体の媒体識別情報と共に保持するとともに、当該特定の記録媒体への補充可能な電子マネー補充手段が特定されたときに前記保持している電子マネーを当該記録媒体に補充させる補充管理手段とをさらに備えたことを特徴とする、
請求項１、請求項２又は請求項３記載の電子マネー管理システム。
【請求項１３】
前記第三者がイシュアであり、当該イシュアが独自に定めた条件に適合する記録媒体宛にそのイシュアが発行した所定の金銭的価値分の電子マネーの補充の指示が発出されることを特徴とする、
請求項１２記載の電子マネー管理システム。
【請求項１４】
前記第三者からの電子マネーの補充指示を受け付けたときに前記特定の記録媒体を保有する者宛に所定のメッセージを送出するメッセージ管理手段をさらに備えたことを特徴とする、
請求項１２又は請求項１３記載の電子マネー管理システム。
【請求項１５】
前記記録媒体がＩＣチップを搭載したＩＣチップ搭載媒体であり、前記ＩＣチップがイシュア毎に発行されるものであることを特徴とする、
請求項１から請求項１４のいずれかの請求項記載の電子マネー管理システム。
【請求項１６】
前記ＩＣチップ搭載媒体が非接触ＩＣカードであることを特徴とする、
請求項１５記載の電子マネー管理システム。
【請求項１７】
自らを識別するための媒体識別情報を記録してなる可搬性の記録媒体に、指示された金銭的価値分の電子マネーを補充する電子マネー補充手段と、通信路を介して接続される電子マネー管理システムであって、
前記補充先の記録媒体を保有する者以外の第三者からの電子マネーの補充の指示を受け付ける補充指示受付手段と、
補充対象となる電子マネーに対応する金銭的価値を前記第三者の識別情報及び前記特定の記録媒体の媒体識別情報と共に保持する補充情報管理手段と、
前記電子マネー補充手段で電子マネーを補充する記録媒体から媒体識別情報を読み出す媒体識別情報取得手段と、
前記媒体識別情報取得手段で読み出された媒体識別情報が、前記補充情報管理手段で保持された媒体識別情報であることを確認する媒体識別情報確認手段と、を備えたことを特徴とする、電子マネー管理システム。
【請求項１８】
前記電子マネー補充手段は、前記媒体識別情報確認手段で確認された媒体識別情報を記録してなる記録媒体に、前記補充情報管理手段で保持している電子マネーを補充することを特徴とする、請求項１７に記載の電子マネー管理システム。
【請求項１９】
前記媒体識別情報確認手段で一定期間特定の媒体識別情報を確認できない場合に、前記補充情報管理手段で保持された第三者の識別情報から、前記第三者の口座を特定し、前記補充情報管理手段で保持している金銭的価値を前記特定した第三者の口座に返信することを特徴とする、請求項１７又は請求項１８記載の電子マネー管理システム。
【請求項２０】
自らを識別するための媒体識別情報を記録してなる可搬性の記録媒体に、指示された金銭的価値分の電子マネーを補充する電子マネー補充手段と、通信路を介して接続される電子マネー管理システムであって、
電子マネー付与のための条件を受け付ける付与条件蓄積手段と、
前記受け付けた電子マネー付与のための条件から、電子マネーの補充対象となる媒体識別情報を特定する媒体識別情報特定手段と、
補充対象となる電子マネーに対応する金銭的価値を前記特定された媒体識別情報と共に保持する補充情報管理手段と、
前記電子マネー補充手段で電子マネーを補充する記録媒体から媒体識別情報を読み出す媒体識別情報取得手段と、
前記媒体識別情報取得手段で読み出された媒体識別情報が、前記補充情報管理手段で保持された媒体識別情報であることを確認する媒体識別情報確認手段と、を備えたことを特徴とする、電子マネー管理システム。
【請求項２１】
前記電子マネー補充手段は、前記媒体識別情報確認手段で確認された媒体識別情報を記録してなる記録媒体に、前記補充情報管理手段で保持している電子マネーを補充することを特徴とする、請求項２０に記載の電子マネー管理システム。
【請求項２２】
前記媒体識別情報確認手段で一定期間特定の媒体識別情報を確認できない場合に、前記付与条件蓄積手段で電子マネー付与のための条件を受け付けた受付元を特定し、当該特定した受付元に前記補充情報管理手段で保持している金銭的価値を返信することを特徴とする、請求項２０又は請求項２１記載の電子マネー管理システム。
【手続補正２】
【補正対象書類名】明細書
【補正対象項目名】０００７
【補正方法】変更
【補正の内容】
【０００７】
（１）請求項１記載の発明では、自らを識別するための媒体識別情報、金銭的価値をもつ電子マネー、及び電子マネーの発行組織体である複数のイシュアから前記電子マネーを発行したイシュアを識別するためのイシュア識別情報を記録してなる可搬性の記録媒体に、指示された金銭的価値分の電子マネーを補充する複数の電子マネー補充手段と、通信路を介して接続される電子マネー管理システムであって、現金を受け取り、該受け取った現金に対応する電子マネーの補充をいずれかの記録媒体に対して行い、該補充が正常に終了した複数の電子マネー補充手段から、当該補充をした記録媒体の媒体識別情報、イシュア識別情報及び電子マネーの補充情報を含む入金ログを前記通信路を通じて取得する情報取得手段と、この情報取得手段で取得した入金ログについて、イシュア識別情報に基づいてイシュアを特定し、電子マネーの補充情報に基づいて前記補充した電子マネーに対応する金額を特定するとともにこの特定した金額を前記特定したイシュア毎に前記イシュア識別情報を検索キーとして集計する入金集計手段と、前記電子マネーの補充を行った電子マネー補充手段から当該補充に対応して受け取った現金の送金を受け取り、前記入金集計手段で集計された各イシュア毎の現金が電子マネー管理システムの管理主体の銀行口座から各イシュアに届くように口座間取引を実行させる入金管理手段と、を電子マネー管理システムに具備させる。
（２）請求項２に記載した発明では、金銭的価値としての現金を受け取り、該受け取った現金に対応する電子マネーを、自らを識別するための媒体識別情報、電子マネーの発行組織体である複数のイシュアから電子マネーを発行したイシュアを識別するためのイシュア識別情報、及び金銭的価値をもつ電子マネーを記録してなる可搬性の記録媒体に補充し、該補充が正常に終了した複数の電子マネー補充手段から、当該補充をした前記記録媒体の媒体識別情報、イシュア識別情報、及び前記受け取った現金に対応する電子マネーの補充情報を含む入金ログを通信路を介して取得する第１の情報取得手段と、前記第１の情報取得手段で取得した入金ログについて、イシュア識別情報に基づいてイシュアを特定し、電子マネーの補充情報に基づいて補充した電子マネーに対応する金銭価値の金額を特定するとともにこの特定した金銭的価値の金額を前記特定したイシュア毎に前記イシュア識別情報を検索キーとして集計する第１の集計手段と、金銭的価値をもつ電子マネーが記録された前記記録媒体から当該記録媒体を保有する者が所定の店舗において利用した金銭的価値分の電子マネーを減額した電子マネー減額手段から、当該電子マネーを減額した記録媒体に記録されている媒体識別情報、イシュア識別情報、利用元の店舗を識別するための店舗識別情報及び電子マネーの減額情報を取得する第２の情報取得手段と、前記第２の情報取得手段で取得した情報のうち、イシュア識別情報に基づいてイシュアを特定し、店舗識別情報に基づいて利用元の店舗を特定し、電子マネーの減額情報に基づいて前記減額した電子マネーに対応する金銭的価値を特定するとともにその金銭的価値を前記特定されたイシュア及び店舗毎に集計する第２の集計手段と、前記第１の集計手段及び第２の集計手段による集計結果に基づいて、前記金銭的価値の受け渡しを行う受渡手段と、を電子マネー管理システムに具備させる。
（３）請求項３に記載した発明では、請求項２に記載の電子マネー管理システムにおいて、前記受渡手段は、前記金銭的価値の受け渡しを所定の金融機関の口座間取引により行わせるように構成されている、ことを特徴とする。
（４）請求項４に記載した発明では、請求項１、請求項２又は請求項３記載の電子マネー管理システムにおいて、電子マネーの補充の指示と当該電子マネーに対応する金銭的価値とを受け付ける補充指示受付手段と、前記受け付けた金銭的価値分の電子マネーを前記補充先となる記録媒体への電子マネーの補充が可能な電子マネー補充手段宛に前記通信路を通じて送出する補充指示管理手段と、をさらに備えたことを特徴とする。
（５）請求項５に記載した発明では、請求項１、請求項２又は請求項３記載の電子マネー管理システムにおいて、電子マネーの補充の指示が、前記補充先の記録媒体との間で情報の受け渡しを行う媒体リーダ・ライタが接続され且つ所定の通信路を媒介とした通信を行う通信端末を通じて行われるものであり、前記電子マネー補充手段は、当該記録媒体への電子マネーの補充と当該記録媒体からの媒体識別情報及びイシュア識別情報の読み出しとを前記媒体リーダ・ライタを通じて行うとともに、前記入金ログを、前記通信路を通じて出力可能に構成されていることを特徴とする。
（６）請求項６に記載した発明では、請求項１、請求項２又は請求項３記載の電子マネー管理システムにおいて、電子マネーの補充の指示が、所定の通信路を媒介とした通信を行う第１の通信端末を通じて行われるものであり、前記電子マネー補充手段は、当該記録媒体への電子マネーの補充と当該記録媒体からの媒体識別情報及びイシュア識別情報の読み出しとを当該記録媒体との間で情報の受け渡しを行う媒体リーダ・ライタが接続され且つ前記通信路を媒介とした通信を行う第２の通信端末を通じて行うとともに、前記入金ログを、前記通信路を通じて出力可能に構成されていることを特徴とする。
（７）請求項７に記載した発明では、請求項２又は３記載の電子マネー管理システムにおいて、前記電子マネーの利用が、電子マネーが記録されている前記記録媒体との間で情報の受け渡しを行う媒体リーダ・ライタが接続され且つ所定の通信路を媒介とした通信を行う通信端末を通じて行われるものであり、前記電子マネー減額手段は、当該記録媒体からの電子マネーの減額と当該記録媒体からの媒体識別情報及びイシュア識別情報の読み出しとを前記媒体リーダ・ライタを通じて行うとともに、前記電子マネーの減額情報、前記店舗識別情報、前記媒体識別情報及び前記イシュア識別情報を、前記通信路を通じて出力可能に構成されていることを特徴とする。
（８）請求項８に記載した発明では、請求項１、請求項２又は請求項３記載の電子マネー管理システムにおいて、前記電子マネー補充手段は、いずれかのイシュアから任意のユーザに配付された前記記録媒体に当該イシュア以外の他のイシュアが発行した電子マネーを補充可能であることを特徴とする。
（９）請求項９に記載した発明では、請求項１、請求項２又は請求項３記載の電子マネー管理システムにおいて、前記電子マネー補充手段が、店舗の精算レジスタに付加されており、当該精算レジスタにおいて生じた釣り銭を電子マネーに換算して前記記録媒体に補充可能に構成されていることを特徴とする。
（１０）請求項１０に記載した発明では、請求項１、請求項２又は請求項３記載の電子マネー管理システムにおいて、電子マネーを補充する際に補充が正常終了しなかった記録媒体のリカバリ処理を行うリカバリ管理手段をさらに備えたことを特徴とする。
（１１）請求項１１に記載した発明では、請求項１、請求項２又は請求項３記載の電子マネー管理システムにおいて、前記記録媒体への電子マネーの補充履歴と当該記録媒体からの電子マネーの利用履歴とを媒体識別情報とリンクさせて記録する履歴管理手段をさらに備え、記録媒体の活用状況を把握可能に構成されていることを特徴とする。
（１２）請求項１２に記載した発明では、請求項１、請求項２又は請求項３記載の電子マネー管理システムにおいて、前記補充先の記録媒体を保有する者以外の第三者からの電子マネーの補充の指示を受け付ける補充指示受付手段と、補充対象となる電子マネーに対応する金銭的価値を前記第三者の名称及び前記特定の記録媒体の媒体識別情報と共に保持するとともに、当該特定の記録媒体への補充可能な電子マネー補充手段が特定されたときに前記保持している電子マネーを当該記録媒体に補充させる補充管理手段とをさらに備えたことを特徴とする。
（１３）請求項１３に記載した発明では、請求項１２記載の電子マネー管理システムにおいて、前記第三者がイシュアであり、当該イシュアが独自に定めた条件に適合する記録媒体宛にそのイシュアが発行した所定の金銭的価値分の電子マネーの補充の指示が発出されることを特徴とする。
（１４）請求項１４に記載した発明では、請求項１２又は請求項１３記載の電子マネー管理システムにおいて、前記第三者からの電子マネーの補充指示を受け付けたときに前記特定の記録媒体を保有する者宛に所定のメッセージを送出するメッセージ管理手段をさらに備えたことを特徴とする。
（１５）請求項１５に記載した発明では、請求項１から請求項１４のいずれかの請求項記載の電子マネー管理システムにおいて、前記記録媒体がＩＣチップを搭載したＩＣチップ搭載媒体であり、前記ＩＣチップがイシュア毎に発行されるものであることを特徴とする。
（１６）請求項１６に記載した発明では、請求項１５記載の電子マネー管理システムにおいて、前記ＩＣチップ搭載媒体が非接触ＩＣカードであることを特徴とする。
（１７）請求項１７に記載した発明では、自らを識別するための媒体識別情報を記録してなる可搬性の記録媒体に、指示された金銭的価値分の電子マネーを補充する電子マネー補充手段と、通信路を介して接続される電子マネー管理システムであって、前記補充先の記録媒体を保有する者以外の第三者からの電子マネーの補充の指示を受け付ける補充指示受付手段と、補充対象となる電子マネーに対応する金銭的価値を前記第三者の識別情報及び前記特定の記録媒体の媒体識別情報と共に保持する補充情報管理手段と、前記電子マネー補充手段で電子マネーを補充する記録媒体から媒体識別情報を読み出す媒体識別情報取得手段と、前記媒体識別情報取得手段で読み出された媒体識別情報が、前記補充情報管理手段で保持された媒体識別情報であることを確認する媒体識別情報確認手段と、を電子マネー管理システムに具備させる。
（１８）請求項１８に記載した発明では、請求項１７に記載した電子マネー管理システムにおいて、前記電子マネー補充手段は、前記媒体識別情報確認手段で確認された媒体識別情報を記録してなる記録媒体に、前記補充情報管理手段で保持している電子マネーを補充することを特徴とする。
（１９）請求項１９に記載した発明では、請求項１７又は請求項１８に記載の電子マネー管理システムにおいて、前記媒体識別情報確認手段で一定期間特定の媒体識別情報を確認できない場合に、前記補充情報管理手段で保持された第三者の識別情報から、前記第三者の口座を特定し、前記補充情報管理手段で保持している金銭的価値を前記特定した第三者の口座に返信することを特徴とする。
（２０）請求項２０に記載した発明では、自らを識別するための媒体識別情報を記録してなる可搬性の記録媒体に、指示された金銭的価値分の電子マネーを補充する電子マネー補充手段と、通信路を介して接続される電子マネー管理システムであって、電子マネー付与のための条件を受け付ける付与条件蓄積手段と、前記受け付けた電子マネー付与のための条件から、電子マネーの補充対象となる媒体識別情報を特定する媒体識別情報特定手段と、補充対象となる電子マネーに対応する金銭的価値を前記特定された媒体識別情報と共に保持する補充情報管理手段と、前記電子マネー補充手段で電子マネーを補充する記録媒体から媒体識別情報を読み出す媒体識別情報取得手段と、前記媒体識別情報取得手段で読み出された媒体識別情報が、前記補充情報管理手段で保持された媒体識別情報であることを確認する媒体識別情報確認手段と、を電子マネー管理システムに具備させる。
（２１）請求項２１に記載した発明では、請求項２０に記載の電子マネー管理システムにおいて、前記電子マネー補充手段は、前記媒体識別情報確認手段で確認された媒体識別情報を記録してなる記録媒体に、前記補充情報管理手段で保持している電子マネーを補充することを特徴とする。
（２２）請求項２２に記載した発明では、請求項２０又は請求項２１記載の電子マネー管理システムにおいて、前記媒体識別情報確認手段で一定期間特定の媒体識別情報を確認できない場合に、前記付与条件蓄積手段で電子マネー付与のための条件を受け付けた受付元を特定し、当該特定した受付元に前記補充情報管理手段で保持している金銭的価値を返信することを特徴とする。